(57)【要約】【課題】燃料油と水とを混合した水混合燃料およびその製造方法の提供。【解決手段】燃料油と、水と、金属酸化物の粉末とを含む水混合燃料油であり、燃料油と、水と、金属酸化物の粉末とを混合することにより製造する。この水混合燃料によれば、金属酸化物の粉末が触媒となって水の活性化エネルギーが下がり、燃料油とともに燃焼するようになるので、水をエネルギーとして利用することが可能となる。【選択図】なし【特許請求の範囲】
【請求項１】
燃料油と、水と、金属酸化物の粉末とを含む水混合燃料。
【請求項２】
前記金属酸化物は酸化チタンである請求項１記載の水混合燃料。
【請求項３】
前記水が０．０４〜１．００ｗｔ％、前記金属酸化物が０．０２〜０．１４ｗｔ％である請求項１または２に記載の水混合燃料。
【請求項４】
前記金属酸化物の粉末は粒径１０μｍ以下である請求項１から３のいずれかに記載の水混合燃料。
【請求項５】
燃料油と、水と、金属酸化物の粉末とを混合することを特徴とする水混合燃料の製造方法。
【発明の詳細な説明】
【技術分野】
【０００１】
本発明は、燃料油と水とを混合した水混合燃料およびその製造方法に関する。
【背景技術】
【０００２】
燃料内に水が混入するとエンジンの出力が低下することは古くから知られている。一方で、水を燃焼させる研究もなされており、例えば非特許文献１には水とマグネシウムを反応させることで熱エネルギーを得ることができるエンジンが開示されている。また、燃料油に水と界面活性剤を添加したエマルジョン燃料の開発も行われている（例えば特許文献１〜３参照。）。
【先行技術文献】
【特許文献】
【０００３】
【特許文献１】特開２００１−３４８５７９号公報
【特許文献２】特開２０００−２６３０６２号公報
【特許文献３】特開平６−３４６０７１号公報
【非特許文献】
【０００４】
【非特許文献１】“てんけんくんのオモシロ新技術４『ＭＡＧＩＣエンジン』〜循環型クリーンエネルギーシステム”，整備  ｉｎ  Ｔｏｋｙｏ  ２００６年７月号，［online］，ＴＯＳＳＮＥＴ，［平成２２年９月１５日検索］，インターネット＜ＵＲＬ：http://tossnet.or.jp/staticContents/public_html/mtou_tokyoweb/gallery/2006/omosiro200607.pdf＞
【発明の概要】
【発明が解決しようとする課題】
【０００５】
本発明は、上記従来の方法とは全く別のアプローチで燃料油と水とを混合した水混合燃料およびその製造方法を提供することを目的とする。
【課題を解決するための手段】
【０００６】
本発明の水混合燃料は、燃料油と、水と、金属酸化物の粉末とを含むものである。また、本発明の水混合燃料の製造方法は、燃料油と、水と、金属酸化物の粉末とを混合することを特徴とする。本発明の水混合燃料によれば、金属酸化物の粉末が触媒となって水の活性化エネルギーが下がり、燃料油とともに燃焼するようになる。
【０００７】
水をエネルギーとするためには、水を水素と酸素に分解し、水素を爆発させることが必要となるが、水を分解するには、基底状態から遷移状態に励起するための活性化エネルギーを与える必要がある。この活性化エネルギーは以下のアレニウスの式によって表現される。
2012067188.tif 000002
【０００８】
この活性化エネルギーは、触媒による反応定数や頻度因子のコントロールによって値が変わる。一方、水素の爆発エネルギーは約２５０ｋＪ／ｍｏｌ（〜５０００℃）である。つまり、水が水素と酸素に分解するエネルギーをＥ1とし、爆発エネルギーをＥ2とすると、Ｅ1＜Ｅ2の不等式が成り立つ。本発明の水混合燃料では、金属酸化物の粉末が触媒となることにより、この水の活性化エネルギーＥ1を下げることができる。
【０００９】
ここで、金属酸化物の粉末は、酸化チタン、酸化マグネシウムや酸化ナトリウム等を用いることが可能である。
【００１０】
また、金属酸化物の粉末は粒径１０μｍ以下であることが望ましい。粒径１０μｍ以下であることにより、水混合燃料中の水と金属酸化物とが十分に接触し、触媒として高効率で機能するようになる。また、粒径１０μｍ以下であることにより、この水混合燃料を燃焼させる原動機内を傷つけることを防止することができる。なお、粒径１０μｍ超の場合には触媒の機能が低下する。
【発明の効果】
【００１１】
（１）燃料油と、水と、金属酸化物の粉末とを含む水混合燃料によれば、金属酸化物の粉末が触媒となって水の活性化エネルギーが下がり、燃料油とともに燃焼するようになるので、水をエネルギーとして利用することが可能となる。
（２）金属酸化物の粉末が粒径１０μｍ以下であることにより、水混合燃料中の水と金属酸化物とが十分に接触し、触媒として高効率で機能するようになり、燃焼効率が向上する。また、水混合燃料を燃焼させる原動機内を傷つけることを防止することができる。
【図面の簡単な説明】
【００１２】
【図１】水混合燃料中の水を０．０４〜１．００ｗｔ％とし、酸化チタン粉末を０．０２ｗｔ％，０．０４ｗｔ％，０．０６％とした場合の実験結果のグラフを示す図である。
【図２】水混合燃料中の水を０．０４〜１．００ｗｔ％とし、酸化チタン粉末を０．０８ｗｔ％，０．１０ｗｔ％，０．１２％とした場合の実験結果のグラフを示す図である。
【図３】水混合燃料中の水を０．０４〜１．００ｗｔ％とし、酸化チタン粉末を０．１４ｗｔ％，０．１６ｗｔ％，０．１８％とした場合の実験結果のグラフを示す図である。
【発明を実施するための形態】
【００１３】
本発明の実施の形態における水混合燃料は、燃料油と水と金属酸化物の粉末とを混合することにより製造する。燃料油としては、軽油やガソリン等を使用することができる。また、金属酸化物の粉末としては、酸化チタン、酸化マグネシウムや酸化ナトリウム等を乳鉢等ですり潰して粒径１０μｍ以下の粉末としたものを使用することができる。なお、水混合燃料中の水は０．０４〜１．００ｗｔ％、金属酸化物は０．０２〜０．１４ｗｔ％となるようにする。
【００１４】
この水混合燃料をディーゼルエンジンやガソリンエンジン等の原動機やボイラ等の燃料油として使用すれば、金属酸化物の粉末が触媒となって水の活性化エネルギーが下がり、燃料油とともに燃焼し、水をエネルギーとして利用することができる。また、金属酸化物の粉末の粒径は１０μｍ以下であるため、原動機内を傷つけることもない。
【実施例】
【００１５】
上記本発明の実施の形態における水混合燃料についてエンジン効率の測定実験を行った。本実施例における水混合燃料は、軽油１リットルに対して所定量の水を投入し、スターラーで攪拌し、さらに金属酸化物としての酸化チタンを乳鉢ですり潰して粉末化したものを所定量投入し、攪拌することにより製造した。また、比較例として酸化チタンを混合せずに、水のみを混合した水混合燃料を使用した。
【００１６】
なお、エンジン効率の測定は、実車両の加速度を測定することにより行った。
2012067188.tif 000003
より、加速度はエンジンの出力と比例関係にある。ｍは単なる質量ではなく、エンジンの出力効率や摩擦などを含む合成質量である。したがって、加速度を測定することにより、エンジン出力に比例した量を測定したことになる。ただし、測定値は絶対値ではなく、相対値となる。
【００１７】
計測方法は、以下の手順による。
（１）実車両のディーゼルエンジンに燃料を投入。
（２）ローギアでアクセルベタ踏みの条件で加速度を測定。
（３）燃料を抜く。
（４）無添加の軽油を投入し、暖気運転。
（５）燃料を抜く。
（６）水混合燃料の条件を変えて、（１）〜（５）を繰り返し。
【００１８】
実験結果を図１〜図３に示す。図１は水混合燃料中の水を０．０４〜１．００ｗｔ％とし、酸化チタン粉末を０．０２ｗｔ％，０．０４ｗｔ％，０．０６％とした場合の実験結果のグラフを示す図、図２は水混合燃料中の水を０．０４〜１．００ｗｔ％とし、酸化チタン粉末を０．０８ｗｔ％，０．１０ｗｔ％，０．１２％とした場合の実験結果のグラフを示す図、図３は水混合燃料中の水を０．０４〜１．００ｗｔ％とし、酸化チタン粉末を０．１４ｗｔ％，０．１６ｗｔ％，０．１８％とした場合の実験結果のグラフを示す図である。また、比較例として図１〜図３に水のみを混合した水混合燃料の実験結果を示している。
【００１９】
図１に示すように、本実施例の水混合燃料では、酸化チタン粉末が０．０２〜０．０６ｗｔ％の場合には、水が０．２〜１．００ｗｔ％の範囲でほぼ水のみを混合した比較例の水混合燃料よりも加速度が高くなっており、エンジンの出力向上が確認できた。また、図２に示すように、本実施例の水混合燃料では、酸化チタン粉末が０．０８〜０．１２ｗｔ％の場合には、水のみを混合した比較例の水混合燃料よりも加速度が高くなり、エンジンの出力向上が見込めるが、水の含有量によっては比較例よりも出力が低下することがあった。
【００２０】
また、図３に示すように、本実施例の水混合燃料では、酸化チタン粉末が０．１４ｗｔ％の場合には、水の含有量によっては水のみを混合した比較例の水混合燃料よりも加速度が高くなることが確認できたが、酸化チタン粉末が０．１６ｗｔ％，０．１８ｗｔ％の場合は比較例の水混合燃料の加速度以下となり、エンジンの出力向上は見られなかった。
【産業上の利用可能性】
【００２１】
本発明の水混合燃料およびその製造方法は、ディーゼルエンジンやガソリンエンジン等の原動機やボイラ等の燃料油およびその製造方法として有用である。
【図１】
2012067188.tif 000004
【図２】
2012067188.tif 000005
【図３】
2012067188.tif 000006
【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
燃料油と、０．２〜１．０ｗｔ％の水と、０．０２〜０．０６ｗｔ％の酸化チタンの粉末とからなる水混合燃料。
【請求項２】
燃料油と、０．２〜１．０ｗｔ％の水と、０．０２〜０．０６ｗｔ％の酸化チタンの粉末とを混合することを特徴とする水混合燃料の製造方法。